(57)【特許請求の範囲】
【請求項１】
ユーザに紹介すべき対象地点の情報を取得してユーザに提供する携帯端末であって、
現在位置の周辺領域における上記対象地点の情報を通知可能な通知部と、
加速度センサの測定値に基づいてユーザの移動手段を判定する移動手段判定部と、
現在位置を測位して現在位置情報を取得する測位部と、
上記現在位置情報に基づき、現在位置の周辺領域における上記対象地点の情報を取得する情報取得部と
を備えており、
上記通知部は、ユーザの移動手段が乗物であると判定された場合には、上記対象地点の情報を通知せず、ユーザの移動手段が乗物ではないと判定された場合には、上記対象地点の情報を通知し、
上記測位部は、ユーザの移動手段が乗物であると判定された場合には、上記現在位置情報を取得せず、ユーザの移動手段が乗物ではないと判定された場合には、上記現在位置情報を取得することを特徴とする携帯端末。
【請求項２】
上記通知部は、ユーザの移動手段に応じて設定された上記周辺領域における上記対象地点の情報を通知することを特徴とする請求項１に記載の携帯端末。
【請求項３】
上記移動手段判定部は、所定のタイミングでユーザの移動手段を判定し、
上記所定のタイミングは、ユーザの移動距離、ユーザの移動時間、ユーザが移動していない時間、ユーザの徒歩数、ユーザが乗物に乗るタイミング、ユーザが乗物から降りるタイミングからなる群より選択される少なくとも何れか１つに基づいて設定されることを特徴とする請求項１または２に記載の携帯端末。
【請求項４】
上記移動手段判定部は、所定のタイミングでユーザの移動手段を判定し、
上記所定のタイミングは、ユーザの現在位置と対象地点との間の距離がより大きい場合には、周期がより大きくなるように、ユーザの現在位置と、上記対象地点との間の距離に基づいて設定されることを特徴とする請求項１〜３の何れか１項に記載の携帯端末。
【請求項５】
ユーザに紹介すべき対象地点の情報を取得してユーザに提供する携帯端末であって、
現在位置の周辺領域における上記対象地点の情報を通知可能な通知部と、
加速度センサの測定値に基づいてユーザの移動手段を判定する移動手段判定部と、を備えており、
上記通知部は、ユーザの移動手段に応じて、上記対象地点の情報を通知し、
上記移動手段判定部は、所定のタイミングでユーザの移動手段を判定し、
上記所定のタイミングは、ユーザの現在位置と対象地点との間の距離がより大きい場合には、周期がより大きくなるように、ユーザの現在位置と、上記対象地点との間の距離に基づいて設定されることを特徴とする携帯端末。
【請求項６】
ユーザに紹介すべき対象地点の情報を取得してユーザに提供する携帯端末であって、
現在位置の周辺領域における上記対象地点の情報を通知可能な通知部と、
加速度センサの測定値に基づいてユーザの移動手段を判定する移動手段判定部と、を備
えており、
上記通知部は、ユーザの移動手段が乗物であると判定された場合には、上記対象地点の
情報を通知せず、ユーザの移動手段が乗物ではないと判定された場合には、上記対象地点
の情報を通知し、
上記移動手段判定部は、所定のタイミングでユーザの移動手段を判定し、
上記所定のタイミングは、ユーザの現在位置と対象地点との間の距離がより大きい場合には、周期がより大きくなるように、ユーザの現在位置と、上記対象地点との間の距離に基づいて設定されることを特徴とする携帯端末。
【請求項７】
ユーザに紹介すべき対象地点の情報を取得してユーザに提供する情報通知方法であって、
加速度センサの測定値に基づいてユーザの移動手段を判定する移動手段判定ステップと、
上記移動手段判定ステップで判定されたユーザの移動手段が乗物であると判定された場合には、上記対象地点の情報を通知せず、ユーザの移動手段が乗物ではないと判定された場合には、上記対象地点の情報を通知する通知ステップと、
現在位置を測位して現在位置情報を取得する測位ステップと、
上記現在位置情報に基づき、現在位置の周辺領域における上記対象地点の情報を取得する情報取得ステップを含み、
上記測位ステップでは、ユーザの移動手段が乗物であると判定された場合には、上記現在位置情報を取得せず、ユーザの移動手段が乗物ではないと判定された場合には、上記現在位置情報を取得する
ことを特徴とする情報通知方法。
【請求項８】
ユーザに紹介すべき対象地点の情報を取得してユーザに提供する情報通知プログラムであって、
加速度センサの測定値に基づいてユーザの移動手段を判定する移動手段判定ステップと、
上記移動手段判定ステップで判定されたユーザの移動手段が乗物であると判定された場合には、上記対象地点の情報を通知せず、ユーザの移動手段が乗物ではないと判定された場合には、上記対象地点の情報を通知する通知ステップと、
現在位置を測位して現在位置情報を取得する測位ステップと、
上記現在位置情報に基づき、現在位置の周辺領域における上記対象地点の情報を取得する情報取得ステップを含み、
上記測位ステップでは、ユーザの移動手段が乗物であると判定された場合には、上記現在位置情報を取得せず、ユーザの移動手段が乗物ではないと判定された場合には、上記現在位置情報を取得することをコンピュータに実行させるための情報通知プログラム。
【請求項９】
請求項８に記載の情報通知プログラムを記録したコンピュータ読み取り可能な情報記録媒体。
【発明の詳細な説明】
【技術分野】
【０００１】
本発明はスマートフォン等の携帯端末、情報通知方法、情報通知プログラム、及びコンピュータ読み取り可能な情報記録媒体に関する。
【背景技術】
【０００２】
従来から、スマートフォン等の携帯端末において、ユーザの出発地から目的地までの経路の近傍にある販売店等の情報を、地図画像とともに表示する技術が知られている。
【０００３】
特許文献１の情報提供装置は、ユーザに紹介すべき対象地点を地図画像とともに表示部に表示する。
【０００４】
また、特許文献１の情報提供装置は、ユーザの現在位置がそこから遠ざかっている対象地点は、現在位置がそこに近づいている対象地点よりも薄い色で表示するか、または表示しない。これにより、ユーザが接近している対象地点についてはユーザに対して目に付き易いように情報を提供しつつ、表示部全体としては、表示の煩雑さを低減している。
【先行技術文献】
【特許文献】
【０００５】
【特許文献１】特開２０１０−２８６３６６号公報（２０１０年１２月２４日公開）
【発明の概要】
【発明が解決しようとする課題】
【０００６】
特許文献１の情報提供装置では、例えば、ユーザが乗物に乗って移動している場合であっても、ユーザの現在位置の近傍にある対象地点に関する情報を表示する。
【０００７】
しかしながら、目的地に向かって乗物に乗って移動しているユーザは、現在位置に滞在する予定がない場合が多く、現在位置の近傍の情報を必要としない場合が多い。
【０００８】
そのため、特許文献１の情報提供装置は、ユーザが乗物で移動しているときに、ユーザにとって不要な情報までも表示してしまい、携帯端末の利便性が低下する。
【０００９】
本発明は、上記の課題に鑑みなされたものであって、その目的は、ユーザの移動手段に応じてユーザが必要とする情報を提供することによって利便性を高めた携帯端末、情報通知方法、情報通知プログラム、及びコンピュータ読み取り可能な情報記録媒体を提供することにある。
【課題を解決するための手段】
【００１０】
上記の課題を解決するために、本発明の一態様に係る携帯端末は、ユーザに紹介すべき対象地点の情報を取得してユーザに提供する携帯端末であって、現在位置の周辺領域における上記対象地点の情報を通知可能な通知部と、ユーザの移動手段を判定する移動手段判定部と、を備えており、上記通知部は、ユーザの移動手段に応じて、上記対象地点の情報を通知することを特徴とする。
【００１１】
上記の課題を解決するために、本発明の一態様に係る情報通知方法は、ユーザに紹介すべき対象地点の情報を取得してユーザに提供する情報通知方法であって、ユーザの移動手段を判定する移動手段判定ステップと、上記移動手段判定ステップで判定されたユーザの移動手段に応じて、上記対象地点の情報を通知する通知ステップと、を含んでいることを特徴とする。
【発明の効果】
【００１２】
本発明の一態様によれば、ユーザの移動手段に応じてユーザが必要とする情報を提供することによって利便性を高めた携帯端末及び情報通知方法を提供することができる。
【図面の簡単な説明】
【００１３】
【図１】本発明の実施形態１に係る携帯端末の構成を示すブロック図である。
【図２】本発明の実施形態１に係る携帯端末の動作を示すフローチャートである。
【図３】本発明の実施形態１に係る携帯端末の表示画面を示す概略図である。
【発明を実施するための形態】
【００１４】
〔実施形態１〕
以下、本発明の実施の形態について、図１〜３に基づいて詳細に説明する。
【００１５】
＜携帯端末の構成＞
図１は、本実施形態の携帯端末１の構成を示すブロック図である。
【００１６】
携帯端末１は、ユーザが携帯可能な電子機器であり、例えばスマートフォンであってもよい。
【００１７】
携帯端末１は、ユーザの現在位置の周辺領域における対象地点の情報を取得して、対象地点の情報をユーザに紹介する。
【００１８】
対象地点とは、例えば飲食店、駅、観光スポット等、ユーザが目的地とし得る地点である。携帯端末１は、ユーザの目的および趣向に応じて、どのような地点を対象地点とすべきかを予め設定可能であってもよい。
【００１９】
図１に示すように、携帯端末１は、表示部２（通知部）と、データ処理部３と、乗物判定部４（移動手段判定部）と、測位部５と、情報取得部６とを備えている。
【００２０】
データ処理部３は、乗物判定部４、測位部５、情報取得部６の動作を制御する。また、データ処理部３は、乗物判定部４、測位部５、情報取得部６からの情報を処理し、ユーザに紹介すべき対象地点の情報を表示部２に表示させる。
【００２１】
乗物判定部４は、携帯端末１を所持しているユーザの移動手段が乗物であるか否かを判定する。乗物判定部４は、ユーザの移動手段が乗物であると判定した場合、データ処理部３へ移動イベントを通知する。具体的には、乗物判定部４は、例えば加速度センサを備えており、加速度センサの測定値に基づいて、携帯端末１を所持しているユーザが乗物に乗って移動中であるか、または徒歩により移動中であるか、を判定してもよい。
【００２２】
測位部５は、ＧＰＳ（Ｇｒｏｂａｌ  Ｐｏｓｉｔｉｏｎｉｎｇ  Ｓｙｓｔｅｍ／全地球測位システム）の衛星からの電波を受信するためのアンテナを備えており、アンテナが受信する電波に基づいて、携帯端末１の現在位置を測位する。測位部５は、得られた現在位置を現在位置情報としてデータ処理部３に通知する。
【００２３】
情報取得部６は、ＧＰＳの衛星からの電波を受信するためのアンテナを備えており、アンテナが受信する電波と、測位部５が取得した現在位置情報とに基づいて、現在位置の周辺領域における対象地点の情報を取得する。ここで言う対象地点の情報とは、ユーザに紹介すべき対象地点の住所、名称、施設の電話番号等である。
【００２４】
表示部２は、現在位置の周辺領域における対象地点の情報を表示することによって、対象地点の情報をユーザに通知可能である。
【００２５】
なお、本実施形態では、上記対象地点の情報を表示部２に表示させる場合について説明するが、これに限ることはない。携帯端末１は、上記対象地点の情報をユーザに通知することができればよく、例えば、表示部２に代えてスピーカーを用いてもよい。この場合、上記対象地点の情報は音声を介してユーザに通知される。
【００２６】
＜動作例＞
携帯端末１が対象地点の情報を取得してユーザに提供する情報通知方法の動作について、図２に基づいて説明する。
【００２７】
図２は、本実施形態の携帯端末１の動作を示すフローチャートである。
【００２８】
携帯端末１では、動作開始後、初めに、所定のタイミングで情報取得のための割り込み発生が起こる（ステップ１）。割り込み発生のタイミングは、図１のデータ処理部３によって制御されてもよいし、図示しない制御部によって制御されてもよい。なお、割り込み発生のタイミングの具体例については後述する。
【００２９】
次に、割り込み発生が起こると、乗物判定部４は、携帯端末１を所持しているユーザが乗物で移動中であるか否かを示す移動情報を取得する（ステップ２）。
【００３０】
次に、乗物判定部４は、携帯端末１を所持しているユーザが乗物で移動中であるか否かを判定し（ステップ３、移動手段判定ステップ）、携帯端末１を所持しているユーザが乗物で移動中でないと判定された場合（ステップ３でＮＯ）、測位部５は携帯端末１の現在位置を測位して現在位置情報を取得する（ステップ５）。
【００３１】
一方で、ユーザが乗物で移動中であると判定された場合（ステップ３でＹＥＳ）、測位部５は、何もせずに次の割り込み発生のタイミングまで待機する（ステップ４）。
【００３２】
次に、情報取得部６は、測位部５が取得した現在位置情報に基づいて、現在位置の周辺領域における対象地点の情報を取得する（ステップ６）。ここで、周辺領域とは、ユーザが乗物に乗っていないことを考慮して、徒歩で行くことができる範囲内の領域であることが好ましい。例えば、周辺領域は、現在位置を中心とした半径１ｋｍの円の内部の領域としてもよい。
【００３３】
次に、表示部２は、情報取得部６が取得した対象地点の情報を表示する（ステップ７、通知ステップ）。表示部２に表示された情報は、次の割り込み発生のタイミングで更新されてもよい。
【００３４】
上記のような動作によれば、割り込み発生が起こる所定のタイミングで定期的に周辺領域における対象地点の情報を更新してユーザに通知することができる。
【００３５】
また、表示部２は、ユーザの移動手段に応じて、上記対象地点の情報を更新して表示する。より具体的には、ユーザが乗物で移動していないときには、表示部２は対象地点の情報を更新して表示する。
【００３６】
一方で、ユーザが乗物で移動しているときには、表示部２は対象地点の情報を表示しない。また、前回の割り込み発生のタイミングで表示した情報は、更新されることによって消去される。
【００３７】
一般的に、ユーザが乗物に乗って移動しているときには、ユーザは現在位置に滞在する予定がなく、周辺領域における対象地点の情報を必要としていない場合が多い。一方で、ユーザが乗物に乗って移動しておらず、徒歩で移動している場合、ユーザは自在に進路を変更し、近傍の店などに立ち寄ることができる。そのため、徒歩で移動中のユーザは、周辺領域における対象地点の情報を必要としている場合がある。
【００３８】
上記の構成を用いた情報通知方法によれば、ユーザが乗物で移動中であるか否かに応じて対象地点の情報を通知することができるため、ユーザが必要とするときに、対象地点の情報を提供することができる。これにより、携帯端末１の利便性を高めることができる。
【００３９】
さらに、ユーザが乗物で移動しているときには、対象地点の情報を更新して通知しないため、測位部５、情報取得部６、および表示部２は対象地点の情報をユーザに提供するための動作をする必要がない。そのため、携帯端末１の消費電力を低減することができる。
【００４０】
＜対象地点の情報の表示例＞
図３は、本実施形態の携帯端末１の表示画面を示す概略図である。
【００４１】
図３に示すように、携帯端末１の表示部２は、周辺領域における対象地点の情報を表示画像として表示することによって、対象地点の情報をユーザに通知する。
【００４２】
図３に示すように、表示部２は、携帯端末１のロック画面において、ユーザに紹介すべき対象地点の情報を更新して表示してもよい。なお、表示部２が対象地点の情報を更新したことを、音声、振動等によってユーザに通知してもよい。
【００４３】
図３に示す例では、対象地点の情報として、対象地点にある店の名称、現在位置から対象地点までの距離、対象地点の所在地の方向、対象地点のカテゴリー、が表示部２に表示されている。
【００４４】
また、携帯端末１は、対象地点の情報の表示部分をタップまたはフリックすることによって対象地点に関するより詳細な情報を表示部２に表示する構成であってもよい。
【００４５】
＜割り込み発生の条件＞
図２のステップ１に示す情報取得のための割り込み発生は、割り込み発生のための所定の条件を満たしたときに起こる。
【００４６】
割り込み発生のための条件としては、例えば、ユーザの移動距離、ユーザの移動時間、ユーザが移動していない時間、ユーザの徒歩数、ユーザが乗物に乗るタイミング、ユーザが乗物から降りるタイミングなどに基づくものであってもよい。
【００４７】
具体的には、例えば、ユーザが５００ｍ移動する度に割り込み発生してもよいし、ユーザが歩き始めて６００歩進む度に割り込み発生してもよい。
【００４８】
なお、ユーザが同じ道を行き来した場合、ユーザの現在位置は、前回の割り込み発生時の位置からの移動量は小さいため、割り込み発生により更新された対象地点の情報は前回更新された情報と類似し、ユーザにとって必要性の低いものとなる。そのため、歩数のみではなく、ユーザの移動距離も考慮して割り込み発生することが好ましい。
【００４９】
また、割り込み発生のタイミングの一例として、ユーザが移動していない時間（静止状態の時間）を３分続けたときに割り込み発生してもよい。
【００５０】
割り込み発生は、上記の例に限らず、ユーザの行動に基づいて、ユーザが対象地点の情報を得たいタイミングで生じるものであればよい。
【００５１】
〔実施形態２〕
本発明の他の実施形態について説明すれば、以下のとおりである。なお、説明の便宜上、前記実施形態にて説明した部材と同じ機能を有する部材については、同じ符号を付記し、その説明を省略する。
【００５２】
本実施形態の携帯端末１では、乗物判定部４は、ユーザの移動手段が車、電車、および徒歩の何れであるかを判別可能である。
【００５３】
また、情報取得部６は、ユーザの移動手段に応じて、対象地点の情報を取得するための周辺領域の範囲を設定する。
【００５４】
＜動作例＞
図２のフローチャートに基づいて説明すると、ステップ３において、乗物判定部４は、携帯端末１を所持しているユーザの移動手段が、車、電車、および徒歩の何れであるのかを判定する。
【００５５】
次に、測位部５は携帯端末１の現在位置を測位して現在位置情報を取得する（ステップ５）。
【００５６】
次に、情報取得部６は、測位部５が取得した現在位置情報に基づいて、現在位置の周辺領域における対象地点の情報を取得する（ステップ６）。ここで、情報取得部６は、ステップ３でユーザの移動手段が車または電車であると判定された場合の周辺領域の範囲を、ステップ３でユーザの移動手段が徒歩であると判定された場合の周辺領域の範囲よりも広く設定する。
【００５７】
次に、表示部２は、情報取得部６が設定した周辺領域における対象地点の情報を更新して表示する（ステップ７）。
【００５８】
移動手段が車または電車である場合にユーザが移動可能な範囲は、移動手段が徒歩である場合にユーザが移動可能な範囲よりも広い。
【００５９】
そのため、本実施形態のように、ユーザの移動手段に応じて、対象地点の情報を取得するための周辺領域の範囲を設定することによって、ユーザに対して有用な情報を通知することができる。
【００６０】
＜変形例＞
また、情報取得部６は、ステップ３でユーザの移動手段が車であると判定された場合の周辺領域を、現在位置を中心とした円の内部の領域となるように設定し、ステップ３でユーザの移動手段が電車であると判定された場合の周辺領域を、現在位置の近傍の駅を中心とした円の内部の領域となるように設定してもよい。
【００６１】
移動手段が車である場合、ユーザは道路上を自由に走行できるのに対して、移動手段が電車である場合、ユーザは駅で電車を降りた後は徒歩で移動する場合が多い。
【００６２】
そのため、本変形例のように、ユーザの移動手段が車であるか電車であるかに応じて、対象地点の情報を取得するための周辺領域の範囲を設定することによって、ユーザに対して有用な情報を通知することができる。
【００６３】
〔実施形態３〕
本発明の他の実施形態について説明すれば、以下のとおりである。なお、説明の便宜上、前記実施形態にて説明した部材と同じ機能を有する部材については、同じ符号を付記し、その説明を省略する。
【００６４】
本実施形態の携帯端末１では、割り込み発生のタイミングは、ユーザの現在位置と、対象地点との間の距離に応じて設定される。具体的には、ユーザの現在位置と対象地点との間の距離とが大きい場合には、割り込み発生の周期を大きくし、ユーザの現在位置と対象地点との間の距離とが小さい場合には、割り込み発生の周期を小さくする。
【００６５】
ユーザは、対象地点を目的地としている場合、現在位置が対象地点から離れているときには、ユーザにとって対象地点の住所等の情報の必要性は低いが、対象地点の近傍に到達したときには、ユーザにとって対象地点の住所等の情報の必要性は高まる。
【００６６】
そのため、割り込み発生のタイミングを上記のように設定することによって、ユーザの現在位置と対象地点との間の距離に基づいて、ユーザが対象地点の情報を得たいタイミングに合わせて、対象地点の情報を更新して通知することができる。
【００６７】
〔ソフトウェアによる実現例〕
携帯端末１の制御ブロック（特にデータ処理部３）は、集積回路（ＩＣチップ）等に形成された論理回路（ハードウェア）によって実現してもよいし、ＣＰＵ（Central Processing Unit）を用いてソフトウェアによって実現してもよい。
【００６８】
後者の場合、携帯端末１は、各機能を実現するソフトウェアであるプログラム（情報通知プログラム）の命令を実行するＣＰＵ、上記プログラムおよび各種データがコンピュータ（またはＣＰＵ）で読み取り可能に記録されたＲＯＭ（Read Only Memory）または記憶装置（これらを「情報記録媒体」と称する）、上記プログラムを展開するＲＡＭ（Random Access Memory）などを備えている。そして、コンピュータ（またはＣＰＵ）が上記プログラムを上記情報記録媒体から読み取って実行することにより、本発明の目的が達成される。上記情報記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６９】
〔まとめ〕
本発明の態様１に係る携帯端末は、ユーザに紹介すべき対象地点の情報を取得してユーザに提供する携帯端末（１）であって、現在位置の周辺領域における上記対象地点の情報を通知可能な通知部（表示部２）と、ユーザの移動手段を判定する移動手段判定部（乗物判定部４）と、を備えており、上記通知部は、ユーザの移動手段に応じて、上記対象地点の情報を通知することを特徴とする。
【００７０】
例えば、ユーザの移動手段が電車である場合、ユーザは現在位置に滞在する予定はないことが多い。そのため、電車で移動中のユーザは周辺領域における対象地点の情報を必要としていないことが多い。
【００７１】
一方で、移動手段が車または徒歩である場合、ユーザは自在に進路を変更することができる。そのため、車または徒歩で移動中のユーザは周辺領域における対象地点の情報を必要としている場合がある。
【００７２】
上記の構成によれば、ユーザの移動手段に応じて情報を提供することができるため、ユーザの必要に応じて対象地点の情報を提供することができる。これにより、携帯端末の利便性を高めることができる。
【００７３】
本発明の態様２に係る携帯端末は、上記態様１において、上記通知部は、ユーザの移動手段が乗物であると判定された場合には、上記対象地点の情報を通知せず、ユーザの移動手段が乗物ではないと判定された場合には、上記対象地点の情報を通知する構成であってもよい。
【００７４】
例えば、ユーザの移動手段が乗物である場合、ユーザは単に移動中であって、現在位置に滞在する予定はないことが多い。そのため、乗物で移動中のユーザは対象地点の情報を必要としていないことが多い。
【００７５】
上記の構成によれば、ユーザの移動手段が乗物である場合には、対象地点の情報は通知されない。すなわち、ユーザが対象地点の情報を必要としていないときには情報を通知しない。これにより、携帯端末の利便性を高めることができる。
【００７６】
さらに、ユーザが対象地点の情報を必要としていないときに、対象地点の情報を通知しないことによって、消費電力を低減することができる。
【００７７】
本発明の態様３に係る携帯端末は、上記態様２において、現在位置を測位して現在位置情報を取得する測位部（５）と、上記現在位置情報に基づき、現在位置の周辺領域における上記対象地点の情報を取得する情報取得部（６）を備えており、上記測位部は、ユーザの移動手段が乗物であると判定された場合には、上記現在位置情報を取得せず、ユーザの移動手段が乗物ではないと判定された場合には、上記現在位置情報を取得する構成であってもよい。
【００７８】
上記の構成によれば、ユーザが乗物を用いて移動しているときには、測位部は現在位置情報を取得せず、情報取得部は対象地点の情報を取得しない。これにより、消費電力を低減することができる。
【００７９】
本発明の態様４に係る携帯端末は、上記態様１〜３の何れかにおいて、上記通知部は、ユーザの移動手段に応じて設定された上記周辺領域における上記対象地点の情報を通知する構成であってもよい。
【００８０】
例えば、移動手段が車または電車である場合にユーザが移動可能な範囲は、移動手段が徒歩である場合にユーザが移動可能な範囲よりも広い。
【００８１】
そのため、ユーザの移動手段に応じて、周辺領域の範囲を設定することによって、ユーザに対して有用な情報を通知することができる。
【００８２】
本発明の態様５に係る携帯端末は、上記態様１〜４の何れかにおいて、上記移動手段判定部は、所定のタイミングでユーザの移動手段を判定し、上記所定のタイミングは、ユーザの移動距離、ユーザの移動時間、ユーザが移動していない時間、ユーザの徒歩数、ユーザが乗物に乗るタイミング、ユーザが乗物から降りるタイミングからなる群より選択される少なくとも何れか１つに基づいて設定される構成であってもよい。
【００８３】
上記の構成によれば、ユーザの行動に基づいて、ユーザが対象地点の情報を得たいタイミングに応じて、対象地点の情報を更新して通知することができる。
【００８４】
本発明の態様６に係る携帯端末は、上記態様１〜５の何れかにおいて、上記移動手段判定部は、所定のタイミングでユーザの移動手段を判定し、上記所定のタイミングは、ユーザの現在位置と、上記対象地点との間の距離に基づいて設定される構成であってもよい。
【００８５】
上記の構成によれば、ユーザの現在位置と対象地点との間の距離に基づいて、ユーザが対象地点の情報を得たいタイミングに合わせて、対象地点の情報を更新して通知することができる。
【００８６】
本発明の態様７に係る情報通知方法は、ユーザに紹介すべき対象地点の情報を取得してユーザに提供する情報通知方法であって、ユーザの移動手段を判定する移動手段判定ステップと、上記移動手段判定ステップで判定されたユーザの移動手段に応じて、上記対象地点の情報を通知する通知ステップと、を含んでいることを特徴とする。
【００８７】
本発明の各態様に係る携帯端末は、コンピュータによって実現してもよく、この場合には、コンピュータを上記携帯端末が備える各手段として動作させることにより上記携帯端末をコンピュータにて実現させる携帯端末の制御プログラム（情報通知プログラム）、およびそれを記録したコンピュータ読み取り可能な情報記録媒体も、本発明の範疇に入る。
【００８８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８９】
本発明は、スマートフォン等の携帯端末に利用することができる。
【符号の説明】
【００９０】
１  携帯端末
２  表示部（通知部）
３  データ処理部
４  乗物判定部（移動手段判定部）
５  測位部
６  情報取得部
【図１】
0006378024.tif 000002
【図２】
0006378024.tif 000003
【図３】
0006378024.tif 000004